(57)【要約】【課題】所望の発電効率を得ることができる精度を確保しつつ、従来よりも締結部品を削減する。【解決手段】中空のコイル（２５）の両端に設けられた一対のコイルベース（２３、２４）に対して可動部が板バネ（２１）により保持され、コイルの内周と可動部の外周とが一定間隔を有する独立したブロック構造を有する振動発電部（２０）と、回路部品とを備え、回路部品と振動発電部とは、重ねて配置された状態でケース筒（１４）に挿入されるとともに、上側部品（２）および下側部品（１１）により挟まれることで、一体化した状態でケース筒に固定される固定構造を有する。【選択図】図３
2017221000.tif 000002
【特許請求の範囲】
【請求項１】
中空のコイルの両端に設けられた一対のコイルベースに対して可動部が板バネにより保持され、前記コイルの内周と前記可動部の外周とが一定間隔を有する独立したブロック構造を有する振動発電部と、
前記振動発電部により生成される電気エネルギーを電源として動作する回路部品と
を備え、
前記回路部品と前記振動発電部とは、重ねて配置された状態でケース筒に挿入されるとともに、前記ケース筒の上部に締め付け固定される上側部品および前記ケース筒の下部に締め付け固定される下側部品により挟まれることで、一体化した状態で前記ケース筒に固定される固定構造を有する
振動発電機。
【請求項２】
前記可動部は、円柱または円筒形の磁石にシャフトを挿入し、両端にヨークを配してスペーサーで連結されて構成され、両端から円盤状の板バネを締結することで前記一対のコイルベースに保持されている
請求項１に記載の振動発電機。
【請求項３】
前記ケース筒は、上端内周および下端内周に雌ネジが施されており、
前記上側部品および前記下側部品は、外周に雄ネジが施されており、前記ケース筒の上部および下部に締め付け固定されることで、前記振動発電部と前記回路部品とを一体化した状態で前記ケース筒に固定する
請求項１または２に記載の振動発電機。
【請求項４】
前記ケース筒、前記上側部品、および前記下側部品のそれぞれは、防水防塵構造を有する
請求項１から３のいずれか１項に記載の振動発電機。
【請求項５】
前記回路部品は、無線センサ関連部品を含み、無線センサ機能を備える
請求項１から４のいずれか１項に記載の振動発電機。
【請求項６】
円柱または円筒形の磁石にシャフトを挿入し、両端にヨークを配してスペーサーで連結することで可動部を形成する第１工程と、
下部コイルベースに固定された中空のコイル内に前記可動部を挿入し、前記コイルの内周と前記可動部の外周とが一定間隔を有するように、前記下部コイルベースおよび前記下部コイルベースと前記コイルを挟んで対向配置される上部コイルベースに対して、円盤状の板バネを介して前記可動部を締結することで、独立したブロック構造を有する振動発電部を形成する第２工程と、
前記振動発電部により生成される電気エネルギーを電源として動作する回路部品と前記振動発電部とを、重ねて配置した状態でケース筒に挿入し、前記ケース筒の上部に締め付け固定される上側部品および前記ケース筒の下部に締め付け固定される下側部品により挟むことで、一体化した状態で前記ケース筒に固定する第３工程と
を有する振動発電機の製造方法。
【発明の詳細な説明】
【技術分野】
【０００１】
本発明は、外部環境の振動エネルギーを利用して電気エネルギーを発生させ、通信システムあるいは無線センサシステムなどに適用可能な振動発電機および振動発電機の製造方法に関するものである。
【背景技術】
【０００２】
導電性コイルの中を通過するように磁石を振動させると、コイルに誘導電流が生じ、起電力が発生する。この原理を利用したものとして、板バネを用いた電磁誘導型の振動発電機がある。このような振動発電機は、外部環境の振動エネルギーに基づいて、電気エネルギーを発生させることが可能である。
【０００３】
さらに、振動発電機を用いることで、電源ケーブルや電池による電源供給を不要とした上で、電気エネルギーを発生させることができる。このような観点で、経済的な利点または操作上の利点が見込まれる多くの用途で、振動発電機が活用されることが期待される。そして、バネを用いた振動発電機としては、小型化を図った従来技術がある（例えば、特許文献１、特許文献２参照）。
【０００４】
また、振動発電機に無線センサを内蔵することで、外部環境の振動エネルギーを利用して電源供給を不要とした、無線センサ機能を備えた振動発電機を実現することができる。
【先行技術文献】
【特許文献】
【０００５】
【特許文献１】特開２０１３−９０５０３号公報
【特許文献２】特開２０１４−７９１１８号公報
【発明の概要】
【発明が解決しようとする課題】
【０００６】
しかしながら、従来技術には、以下のような課題がある。
バネを用いた従来の電磁誘導型の振動発電機は、効率をよくするためにバネにより保持される可動部とコイルとの間隙を精度よく固定する必要がある、また、バネを用いた電磁誘導型の振動発電機は、バネと可動部の共振を利用する機構のために、各部品を機械的に堅牢に固定する必要がある。
【０００７】
従って、バネを用いた従来の電磁誘導型の振動発電機は、上述したように、各部品の固定や間隙の位置精度を確保するための締結部品が数多く必要となる問題があった。
【０００８】
本発明は、前記のような課題を解決するためになされたものであり、所望の発電効率を得ることができる精度を確保しつつ、従来よりも締結部品を削減することのできる振動発電機および振動発電機の製造方法を得ることを目的とする。
【課題を解決するための手段】
【０００９】
本発明に係る振動発電機は、中空のコイルの両端に設けられた一対のコイルベースに対して可動部が板バネにより保持され、コイルの内周と可動部の外周とが一定間隔を有する独立したブロック構造を有する振動発電部と、振動発電部により生成される電気エネルギーを電源として動作する回路部品とを備え、回路部品と振動発電部とは、重ねて配置された状態でケース筒に挿入されるとともに、ケース筒の上部に締め付け固定される上側部品およびケース筒の下部に締め付け固定される下側部品により挟まれることで、一体化した状態でケース筒に固定される固定構造を有するものである。
【００１０】
また、本発明に係る振動発電機の製造方法は、円柱または円筒形の磁石にシャフトを挿入し、両端にヨークを配してスペーサーで連結することで可動部を形成する第１工程と、下部コイルベースに固定された中空のコイル内に可動部を挿入し、コイルの内周と可動部の外周とが一定間隔を有するように、下部コイルベースおよび下部コイルベースとコイルを挟んで対向配置される上部コイルベースに対して、円盤状の板バネを介して締結することで、独立したブロック構造を有する振動発電部を形成する第２工程と、振動発電部により生成される電気エネルギーを電源として動作する回路部品と振動発電部とを、重ねて配置した状態でケース筒に挿入し、ケース筒の上部に締め付け固定される上側部品およびケース筒の下部に締め付け固定される下側部品により挟むことで、一体化した状態でケース筒に固定する第３工程とを有するものである。
【発明の効果】
【００１１】
本発明によれば、板バネにより可動部の両端が保持され、独立したブロック構造を有する振動発電部と、その他の部品とを一体化し、ケース筒の上下から締め込み固定する固定構造を備えている。この結果、所望の発電効率を得ることができる精度を確保しつつ、従来よりも締結部品を削減することのできる振動発電機および振動発電機の製造方法を得ることができる。
【図面の簡単な説明】
【００１２】
【図１】本発明の実施の形態１における振動発電機の一部である振動発電部の構成を示す断面図である。
【図２】本発明の実施の形態１における振動発電機の一部である振動発電部の内部構造を示す図である。
【図３】本発明の実施の形態１における無線センサ機能を備えた振動発電機の構成を示す断面図である。
【図４】本発明の実施の形態１における無線センサ機能を備えた振動発電機の内部構造を示す図である。
【図５】本発明の実施の形態２における振動発電機の一部である振動発電部の構成を示す断面図である。
【図６】本発明の実施の形態２における振動発電機の一部である振動発電部の内部構造を示す図である。
【図７】本発明の実施の形態２における振動発電機の構成を示す断面図である。
【図８】本発明の実施の形態２における振動発電機の内部構造を示す図である。
【発明を実施するための形態】
【００１３】
本発明に係る振動発電機および振動発電機の製造方法振動発電機は、以下の２つの技術的特徴を有している。
（第１の特徴）振動発電部の可動部が、両端に設けられたコイルベースに対して、板バネにより保持されている独立したブロック構造となっている。
（第２の特徴）ブロック構造化された振動発電部と、無線通信などに必要な複数の回路部品とが、上下からの締め込みにより一体化されて挟まれた状態で振動発電機に内蔵されることで、堅牢に固定される固定構造を有する。
【００１４】
このようなブロック構造および固定構造を備えることで、ブロック構造における可動部と板バネの締結部と、固定構造におけるケース筒の両端での締結部による２対の締結部のみで、振動発電機を組立てできるという、優れた効果を得ることができる。
【００１５】
そこで、このような技術的特徴を備えた本発明に係る振動発電機および振動発電機の製造方法の好適な実施の形態について、図面に基づいて、以下に詳細に説明する。
【００１６】
実施の形態１．
まず始めに、第１の特徴である「振動発電部の可動部が、両端に設けられたコイルベースに対して、板バネにより保持されている独立したブロック構造となっている」点について、以下に説明する。なお、本実施の形態１では、無線センサ機構を備えた振動発電機を具体例として説明する。
【００１７】
図１は、本発明の実施の形態１における振動発電機の一部である振動発電部の構成を示す断面図である。また、図２は、本発明の実施の形態１における振動発電機の一部である振動発電部の内部構造を示す図である。
【００１８】
振動発電部２０における可動部は、磁石２８ａ、２８ｂの両端にヨーク２７ａ、２７ｂを配し、シャフト３０とスペーサー２６ａ、２６ｂを介して連結されて構成されている。そして、振動発電部２０は、この可動部が、シャフト３０の軸方向の両端に配置された上部コイルベース２３と下部コイルベース２４に対して、板バネ２１ａ、２１ｂ、固定ボルト２２ａ、２２ｂで上下から締め付けられるのみで構成されたブロック構造となっている。
【００１９】
また、下部コイルベース２４には、４つのコイル２５ａ〜２５ｂを有するコイル２５が挿入されている。そして、コイル２５の内周と、可動部の外周とは、一定の間隙を開けて固定されている。
【００２０】
このように、本実施の形態１に係る振動発電部２０は、可動部が板バネ２１ａ、２１ｂ、固定ボルト２２ａ、２２ｂで上下からコイルベース２３、２４に締付け保持された構造となっていることにより軸方向に振動する、シンプルなブロック構造となっている。振動発電部２０に加わった振動は、コイルベース２３、２４から板バネ２１ａ、２１ｂを通して可動部に伝わる。この結果、可動部が振動し、コイル２５に起電力が生じる。
【００２１】
次に、第２の特徴である「ブロック構造化された振動発電部と、無線通信などに必要な複数の回路部品とが、上下からの締め込みにより一体化されて挟まれた状態で振動発電機に内蔵されることで、堅牢に固定される固定構造を有する」点について、以下に説明する。
【００２２】
図３は、本発明の実施の形態１における無線センサ機能を備えた振動発電機の構成を示す断面図である。また、図４は、本発明の実施の形態１における無線センサ機能を備えた振動発電機の内部構造を示す図である。
【００２３】
図３および図４に示した無線センサ機能を備えた振動発電機は、アンテナ１、上蓋２、上部ブラケット３、コネクタ４、無線基板５、スペーサー６、電源基板７、スペーサー８、加速度センサ９、スタッド１０、下部ブラケット１１、シールド板１２ａ、１２ｂ、ケーブルガイド１３、ケース筒１４、ブラケット１５、および振動発電部２０を備えて構成されている。ここで、無線基板５、電源基板７、加速度センサ９は、振動発電部２０により生成される電気エネルギーを電源として動作する無線センサ関連部品に相当する。
【００２４】
図３において、円筒形をしたケース筒１４の中に、アンテナ１、コネクタ４が取付けられた上部ブラケット３、無線基板５、スペーサー６、電源基板７、スペーサー８、振動発電部２０、加速度センサ９、スタッド１０が、順に重ねて配置されている。さらに、本実施の形態１では、この重ねて配置された構成が、上蓋２と下部ブラケット１１に挟み込まれる形で締め付けられて締結されることで、無線センサ機能を備えた振動発電機が構成されている。
【００２５】
なお、円筒形をしたケース筒１４の中には、シールド板１２ａ、１２ｂ、およびケーブルガイド１３も設けられている。シールド板１２ａ、１２ｂは、振動発電部２０内部の磁界を遮蔽するために、振動発電部２０の両側側面から挟みこまれて固定される。また、ケーブルガイド１３は、加速度センサ９から無線基板５までの信号線を通すためのガイドの役割を果たす。
【００２６】
上蓋２と下部ブラケット１１の外周には、雄ネジが施されている。一方、ケース筒１４の両端内周には、雌ネジが施されている。このような構成により、上蓋２と下部ブラケット１１をケース筒１４に締め付けることで、本実施の形態１に係る無線センサ機能を備えた振動発電機は、堅牢に固定された固定構造を有することとなる。
【００２７】
振動発電部２０は、無線基板５、スペーサー６、電源基板７、スペーサー８と合わせて一体となって、上蓋２と下部ブラケット１１に挟み込まれる形で締め付けられている。このため、ケース筒１４の内側で堅牢に固定される固定構造を有することにより、下部ブラケットに印加された振動は、一体となった振動発電部２０に印加される。
【００２８】
以上のように、実施の形態１によれば、板バネを用いた振動発電機において、振動発電部の可動部が、コイルベース間で板バネにより保持されている独立したブロック構造となっている。さらに、振動発電機に内蔵される複数の部品と振動発電部とが、ケース筒の両端から上蓋と下部ブラケットを締め込むことにより挟まれることで、堅牢に固定される固定構造を備えている。
【００２９】
これにより、ブロック構造における可動部の板バネの締結部と、固定構造におけるケース筒の両端での締結部による２対の締結のみで、堅牢な構造を有する無線センサ機能を備えた振動発電機を組立てできるという、優れた効果を得ることができる。
【００３０】
ネジ、ボルトなどによる締結箇所の数が多いほど、緩みや位置ずれなどが発生しやすくなる。これに対して、本実施の形態１に係る無線センサ機能を備えた振動発電機は、２対のみの非常に少ない締結部で構成できる。この結果、緩みや位置ずれなどに関して、非常に高い信頼性を確保することができる。
【００３１】
さらに、本実施の形態１に係る無線センサ機能を備えた振動発電機は、ケース筒に上蓋と下部ブラケットを取付ける部分のみが、筒状の振動発電機にとって表面に現れる締結部分となる。このため、ケース筒と上蓋、およびケース筒と下部ブラケットのそれぞれの取付けネジ部に液体ガスケットを塗布することで、容易に防水防塵構造とすることができる。
【００３２】
実施の形態２．
先の実施の形態１では、第２の特徴として、無線センサ機能を備える場合について具体的に説明した。これに対して、本実施の形態２では、無線センサ機能は省略し、振動発電部と電源基板とを組合せて構成された振動発電機および振動発電機の製造方法について説明する。
【００３３】
まず始めに、第１の特徴である「振動発電部の可動部が、両端に設けられたコイルベースに対して、板バネにより保持されている独立したブロック構造となっている」点について、以下に説明する。
【００３４】
図５は、本発明の実施の形態２における振動発電機の一部である振動発電部の構成を示す断面図である。また、図６は、本発明の実施の形態２における振動発電機の一部である振動発電部の内部構造を示す図である。
【００３５】
振動発電部４０における可動部は、磁石２０８ａ、２０８ｂの両端にヨーク２０７、２０７ｂを配し、シャフト２１０とスペーサー２０６ａ、２０６ｂを介して連結されて構成されている。そして、振動発電部４０は、この可動部が、シャフト２１０の軸方向の両端に配置された上部コイルベース２０３と下部コイルベース２０４に対して、板バネ２０１ａ、２０１ｂ、固定ボルト２０２ａ、２０２ｂで上下から締め付けられるのみで構成されたブロック構造となっている。
【００３６】
また、下部コイルベース２０４には、４つのコイル２０５ａ〜２０５ｂを有するコイル２０５が挿入されている。そして、コイル２５の内周と可動部の外周とは、一定の間隙を開けて固定されている。
【００３７】
このように、本実施の形態２に係る振動発電部４０は、可動部が板バネ２０１ａ、２０１ｂ、固定ボルト２０２ａ、２０２ｂで上下からコイルベース２０３、２０４に締付け保持された構造となっていることにより軸方向に振動する、シンプルなブロック構造となっている。振動発電部４０に加わった振動は、コイルベース２０３、２０４から板バネ２０１ａ、２０１ｂを通して可動部に伝わる。この結果、可動部が振動し、コイル２０５に起電力が生じる。
【００３８】
次に、第２の特徴である「ブロック構造化された振動発電部と、無線通信などに必要な複数の回路部品とが、上下からの締め込みにより一体化されて挟まれた状態で振動発電機に内蔵されることで、堅牢に固定される固定構造を有する」点について、以下に説明する。なお、本実施の形態２では、振動発電部と電源基板とを組合せた振動発電機を具体例として説明する。
【００３９】
図７は、本発明の実施の形態２における振動発電機の構成を示す断面図である。また、図８は、本発明の実施の形態２における振動発電機の内部構造を示す図である。
【００４０】
図７および図８に示した振動発電機は、コネクタ３１、上蓋３２、電源基板３３、スペーサー３４、シールド板３５ａ、３５ｂ、干渉材３６ａ、３６ｂ、シールド板３７ａ、３７ｂ、ケーブルガイド３８、ベース３９、振動発電部４０、およびケース筒４１を備えて構成されている。
【００４１】
図７において、円筒形をしたケース筒４１の中に、コネクタ３１が取付けられた上蓋３２、電源基板３３、スペーサー３４、干渉材３６ａが取り付けられたシールド板３５ａ、振動発電部４０、干渉材３６ｂが取り付けられたシールド板３５ｂが、順に重ねて配置されている。さらに、本実施の形態２では、この重ねて配置された構成が、上蓋３２とベース３９に挟み込まれる形で締め付けられて締結されることで、振動発電機が構成されている。
【００４２】
なお、円筒形をしたケース筒４１の中には、シールド板３７ａ、３７ｂ、およびケーブルガイド３８も設けられている。シールド板３７ａ、３７ｂは、振動発電部４０内部の磁界を遮蔽するために、振動発電部４０の両側側面から挟みこまれて固定される。また、ケーブルガイド３８は、振動発電部４０から電源基板３３までの配線を通すためのガイドの役割を果たす。
【００４３】
上蓋３２とベース３９の外周には、雄ネジが施されている。一方、ケース筒４１の両端内周には、雌ネジが施されている。このような構成により、上蓋３２とベース３９をケース筒４１に締め付けることで、本実施の形態２に係る振動発電機は、堅牢に固定された固定構造を有することとなる。
【００４４】
振動発電部４０は、電源基板３３、スペーサー３４、シールド板３５ａ、３５ｂと合わせて一体となって、上蓋３２とベース３９に挟み込まれる形で締め付けられている。このため、ケース筒４１の内側で堅牢に固定される固定構造を有することにより、ベース３９に印加された振動は、一体となった振動発電部４０に印加される。
【００４５】
以上のように、実施の形態２によれば、板バネを用いた振動発電機において、振動発電部の可動部が、コイルベース間で板バネにより保持されている独立したブロック構造となっている。さらに、振動発電機に内蔵される複数の部品と振動発電部とが、ケース筒の両端から上蓋と下部ベースを締め込むことにより挟まれることで、堅牢に固定される固定構造を備えている。
【００４６】
これにより、ブロック構造における可動部の板バネの締結部と、固定構造におけるケース筒の両端での締結部による２対の締結のみで、電源基板等の部品を内蔵した堅牢な構造を有する振動発電機を組立てできるという、優れた効果を得ることができる。
【００４７】
ネジ、ボルトなどによる締結箇所の数が多いほど、緩みや位置ずれなどが発生しやすくなる。これに対して、本実施の形態２に係る振動発電機は、２対のみの非常に少ない締結部で構成できる。この結果、緩みや位置ずれなどに関して、非常に高い信頼性を確保することができる。
【００４８】
さらに、実施の形態２に係る振動発電機は、ケース筒に上蓋と下部ベースを取付ける部分のみが、筒状の振動発電機にとって表面に現れる締結部分となる。このため、ケース筒と上蓋、およびケース筒と下部ベースのそれぞれの取付けネジ部に液体ガスケットを塗布することで、容易に防水防塵構造とすることができる。
【符号の説明】
【００４９】
１  アンテナ、２  上蓋、３  上部ブラケット、４  コネクタ、５  無線基板、６  スペーサー、７  電源基板、８  スペーサー、９  加速度センサ、１０  スタッド、１１  下部ブラケット、１２ａ、１２ｂ  シールド板、１３  ケーブルガイド、１４  ケース筒、１５  ブラケット、２０  振動発電部、２１ａ、２１ｂ  板バネ、２２ａ、２２ｂ  固定ボルト、２３  上部コイルベース、２４  下部コイルベース、２５  コイル、２６ａ、２６ｂ  スペーサー、２７ａ、２７ｂ  ヨーク、２８ａ、２８ｂ  磁石、２９  ヨーク、３０  シャフト、３１  コネクタ、３２  上蓋、３３  電源基板、３４  スペーサー、３５ａ、３５ｂ  シールド板、３６ａ、３６ｂ  干渉材、３７ａ、３７ｂ  シールド板、３８  ケーブルガイド、３９  ベース、４０  振動発電部、４１  ケース筒、２０１ａ、２０１ｂ  板バネ、２０２ａ、２０２ｂ  固定ボルト、２０３  上部コイルベース、２０４  下部コイルベース、２０５  コイル、２０６ａ  スペーサー、２０６ｂ  スペーサー、２０７ａ、２０７ｂ  ヨーク、２０８ａ、２０８ｂ  磁石、２０９  ヨーク、２１０  シャフト。
【図１】
2017221000.tif 000003
【図２】
2017221000.tif 000004
【図３】
2017221000.tif 000005
【図４】
2017221000.tif 000006
【図５】
2017221000.tif 000007
【図６】
2017221000.tif 000008
【図７】
2017221000.tif 000009
【図８】
2017221000.tif 000010
【手続補正書】
【提出日】平成29年7月27日(2017.7.27)
【手続補正１】
【補正対象書類名】明細書
【補正対象項目名】０００９
【補正方法】変更
【補正の内容】
【０００９】
本発明に係る振動発電機は、中空のコイルの両端に設けられた一対のコイルベースに対して可動部が板バネにより保持され、コイルの内周と可動部の外周とが一定間隔を有する独立したブロック構造を有する振動発電部と、振動発電部により生成される電気エネルギーを電源として動作する回路部品とを備え、回路部品と振動発電部とは、重ねて配置された状態でケース筒に挿入されるとともに、ケース筒の上部に締め付け固定される上側部品およびケース筒の下部に締め付け固定される下側部品により挟まれることで、一体化した状態でケース筒に固定される固定構造を有し、可動部は、円柱または円筒形の磁石にシャフトを挿入し、両端にヨークを配してスペーサーで連結されて構成され、両端から円盤状の板バネを締結することで一対のコイルベースに保持されているものである。
【手続補正２】
【補正対象書類名】特許請求の範囲
【補正対象項目名】全文
【補正方法】変更
【補正の内容】
【特許請求の範囲】
【請求項１】
中空のコイルの両端に設けられた一対のコイルベースに対して可動部が板バネにより保持され、前記コイルの内周と前記可動部の外周とが一定間隔を有する独立したブロック構造を有する振動発電部と、
前記振動発電部により生成される電気エネルギーを電源として動作する回路部品と
を備え、
前記回路部品と前記振動発電部とは、重ねて配置された状態でケース筒に挿入されるとともに、前記ケース筒の上部に締め付け固定される上側部品および前記ケース筒の下部に締め付け固定される下側部品により挟まれることで、一体化した状態で前記ケース筒に固定される固定構造を有し、
前記可動部は、円柱または円筒形の磁石にシャフトを挿入し、両端にヨークを配してスペーサーで連結されて構成され、両端から円盤状の板バネを締結することで前記一対のコイルベースに保持されている
振動発電機。
【請求項２】
前記ケース筒は、上端内周および下端内周に雌ネジが施されており、
前記上側部品および前記下側部品は、外周に雄ネジが施されており、前記ケース筒の上部および下部に締め付け固定されることで、前記振動発電部と前記回路部品とを一体化した状態で前記ケース筒に固定する
請求項１に記載の振動発電機。
【請求項３】
前記ケース筒、前記上側部品、および前記下側部品のそれぞれは、防水防塵構造を有する
請求項１または２に記載の振動発電機。
【請求項４】
前記回路部品は、無線センサ関連部品を含み、無線センサ機能を備える
請求項１から３のいずれか１項に記載の振動発電機。
【請求項５】
円柱または円筒形の磁石にシャフトを挿入し、両端にヨークを配してスペーサーで連結することで可動部を形成する第１工程と、
下部コイルベースに固定された中空のコイル内に前記可動部を挿入し、前記コイルの内周と前記可動部の外周とが一定間隔を有するように、前記下部コイルベースおよび前記下部コイルベースと前記コイルを挟んで対向配置される上部コイルベースに対して、円盤状の板バネを介して前記可動部を締結することで、独立したブロック構造を有する振動発電部を形成する第２工程と、
前記振動発電部により生成される電気エネルギーを電源として動作する回路部品と前記振動発電部とを、重ねて配置した状態でケース筒に挿入し、前記ケース筒の上部に締め付け固定される上側部品および前記ケース筒の下部に締め付け固定される下側部品により挟むことで、一体化した状態で前記ケース筒に固定する第３工程と
を有する振動発電機の製造方法。